(57)【特許請求の範囲】
【請求項１】
着色剤、水、水溶性有機溶剤およびアセチレングリコール系界面活性剤を含むインクジェット記録用インクであって、
前記着色剤が、下記の染料（１）および染料（２）を含み、
前記水溶性有機溶剤が、ジプロピレングリコールプロピルエーテルを含み、
前記アセチレングリコール系界面活性剤が、下記一般式（３）で表される界面活性剤を含み、
前記染料（１）、前記染料（２）、前記ジプロピレングリコールプロピルエーテルおよび前記一般式（３）で表される界面活性剤が、それぞれ、下記（Ａ）〜（Ｅ）の条件を満たすように配合されていることを特徴とするインクジェット記録用インク。
染料（１）：下記一般式（１）で表される染料
染料（２）：Ｃ．Ｉ．アシッドレッド２８９ 
（Ａ）  前記インク全量に対し、前記染料（１）と前記染料（２）の合計配合量が、２〜５重量％
（Ｂ）  前記インクにおける前記染料（１）と前記染料（２）との重量比が、染料（１）：染料（２）＝９：１〜７：３
（Ｃ）  ０．５≦ｘ≦２．５
（Ｄ）  １≦ｙ≦３
（Ｅ）  ｙ≧−２ｘ＋３  且つ  ｙ≦−２ｘ＋６
ｘ：インク全量に対する一般式（３）で表される界面活性剤の配合量（重量％）
ｙ：インク全量に対するジプロピレングリコールプロピルエーテルの配合量（重量％） 
【化１】
0005256735.tif 000013
前記一般式（１）において、
Ｒ１は、置換または無置換のアルキル基であり、
Ｒ２は、シアノ基であり、
Ｒ３は、置換または無置換のヘテロ環基であり、
Ｒ４、Ｒ５、Ｒ６およびＲ７は、それぞれ、水素原子、置換または無置換のアリール基、置換または無置換のヘテロ環基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、炭素原子数１〜３のアルキル基、カルボキシル基、カルバモイル基、またはシアノ基を有する炭素原子であるか、あるいはCHであって、A１およびA２がともにCHであることはない。
【化２】
0005256735.tif 000014
前記一般式（３）において、ｍおよびｎは同一でも異なっていてもよく、ｍ＋ｎ＝１〜１５を満たす数であり、
Ｒ１１、Ｒ１２、Ｒ１３およびＲ１４は、それぞれ同一でも異なっていてもよく、炭素原子数１〜５の直鎖状または分岐鎖状アルキル基である。
【請求項２】
マゼンタインクとして用いられる請求項１記載のインクジェット記録用インク。
【請求項３】
インクジェット記録用インクを含むインクカートリッジであって、前記インクが、請求項１または２に記載のインクジェット記録用インクであることを特徴とするインクカートリッジ。
【請求項４】
インクカートリッジおよびインク吐出手段を含み、インクジェット記録用インクが前記インク吐出手段から吐出されるインクジェット記録装置であって、前記インクカートリッジが、請求項３記載のインクカートリッジであることを特徴とするインクジェット記録装置。
【発明の詳細な説明】
【技術分野】
【０００１】
本発明は、インクジェット記録用インク、インクカートリッジおよびインクジェット記録装置に関する。
【背景技術】
【０００２】
従来から、インクジェット記録用インクとして、染料、ジプロピレングリコールプロピルエーテルおよびアセチレングリコール系界面活性剤等を含むインクが知られている（例えば、特許文献１参照）。前記インクには、（１）発色性に優れていること、（２）長期間の使用においても、噴射安定性に優れていること、（３）印字品質に優れていること、（４）インクジェット記録装置を形成する材料に由来する化合物が、インク中に溶出することを防止すること、（５）記録物の耐光性、耐オゾン性等の堅牢性に優れていることが求められる。しかしながら、従来のインクには、前記すべての性能を満たすものがなかった。なお、前記インクジェット記録装置を形成する材料としては、例えば、ゴム部材およびゴム材料以外の有機材料部材があげられる。前記ゴム部材は、例えば、ワイパおよびキャップがあげられる。前記ワイパは、例えば、インクジェットヘッドのノズル面を払拭するものである。前記キャップは、例えば、前記ノズル面と外界とを遮断するものである。前記ゴム部材等に由来する化合物が前記インク中へ溶出すると、前記インク中に前記化合物が析出する場合がある。前記化合物が析出すると、例えば、前記インクジェットヘッドのノズルが目詰まりするおそれがある。
【０００３】
【特許文献１】特開平９−１１１１６５号公報
【発明の開示】
【発明が解決しようとする課題】
【０００４】
そこで、本発明は、発色性、噴射安定性および印字品質に優れ、インクジェット記録装置内のゴム部材等に由来する化合物のインク中への溶出が防止され、且つ、記録物の堅牢性にも優れるインクジェット記録用インクを提供することを目的とする。
【課題を解決するための手段】
【０００５】
前記目的を達成するために、本発明のインクジェット記録用インクは、着色剤、水、水溶性有機溶剤およびアセチレングリコール系界面活性剤を含むインクジェット記録用インクであって、前記着色剤が、下記の染料（１）および染料（２）を含み、前記水溶性有機溶剤が、ジプロピレングリコールプロピルエーテルを含み、前記アセチレングリコール系界面活性剤が、下記一般式（３）で表される界面活性剤を含み、前記染料（１）、前記染料（２）、前記ジプロピレングリコールプロピルエーテルおよび前記一般式（３）で表される界面活性剤が、それぞれ、下記（Ａ）〜（Ｅ）の条件を満たすように配合されていることを特徴とする。
染料（１）：下記一般式（１）で表される染料
染料（２）：Ｃ．Ｉ．アシッドレッド２８９ 
（Ａ）  前記インク全量に対し、前記染料（１）と前記染料（２）の合計配合量が、２〜５重量％
（Ｂ）  前記インクにおける前記染料（１）と前記染料（２）との重量比が、染料（１）：染料（２）＝９：１〜７：３
（Ｃ）  ０．５≦ｘ≦２．５
（Ｄ）  １≦ｙ≦３
（Ｅ）  ｙ≧−２ｘ＋３  且つ  ｙ≦−２ｘ＋６
ｘ：インク全量に対する一般式（３）で表される界面活性剤の配合量（重量％）
ｙ：インク全量に対するジプロピレングリコールプロピルエーテルの配合量（重量％） 
【化１】
0005256735.tif 000002
前記一般式（１）において、
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、且つ、他方が窒素原子である。
【化２】
0005256735.tif 000003
前記一般式（３）において、ｍおよびｎは同一でも異なっていてもよく、ｍ＋ｎ＝１〜１５を満たす数であり、
Ｒ１１、Ｒ１２、Ｒ１３およびＲ１４は、それぞれ同一でも異なっていてもよく、炭素原子数１〜５の直鎖状または分岐鎖状アルキル基である。
【発明の効果】
【０００６】
本発明者等は、一連の研究を重ねたところ、前記染料を含むインクにおいて、前記染料（１）、前記染料（２）、前記ジプロピレングリコールプロピルエーテルおよび前記一般式（３）で表される界面活性剤を前記（Ａ）〜（Ｅ）の条件を満たすように配合すれば、発色性、噴射安定性および印字品質に優れ、インクジェット記録装置内のゴム部材等に由来する化合物のインク中への溶出が防止され、且つ、記録物の堅牢性にも優れることを見出し、本発明に至った。
このような性能の向上は、本発明者等が初めて見出したものである。
本発明のインクが前記すべての性能に優れるメカニズムは、例えば、つぎのように推測される。
前記染料（１）は堅牢性に優れる一方、前記染料（２）は発色性に優れる。
しかし、前記染料を含むインクは、例えば、長期間使用する場合の噴射安定性に問題がある。
これに対し、本発明のインクは、前記ジプロピレングリコールプロピルエーテルおよび前記一般式（３）で表される界面活性剤が前記（Ｃ）〜（Ｅ）の条件を満たすように配合されているため、長期間使用する場合においても、噴射安定性に優れ、印字品質にも優れ、さらに、インクジェット記録装置内のゴム部材等に由来する化合物のインク中への溶出も防止される。
これらの性能向上のメカニズムは推測であり、本発明を何ら限定しない。
【発明を実施するための最良の形態】
【０００８】
本発明のインクジェット記録用インクの用途は、特に限定されず、例えば、マゼンタインクとして用いることができる。ただし、本発明は、これに限定されない。本発明のインクジェット記録用インクは、前記染料以外の着色剤を用いることにより、マゼンタ以外の色のインクとすることもできる。
【０００９】
本発明のインクカートリッジは、インクジェット記録用インクを含むインクカートリッジであって、前記インクが、本発明の前記インクジェット記録用インクであることを特徴とする。
【００１０】
本発明のインクジェット記録装置は、インクカートリッジおよびインク吐出手段を含み、インクジェット記録用インクが前記インク吐出手段から吐出されるインクジェット記録装置であって、前記インクカートリッジが、本発明の前記インクカートリッジであることを特徴とする。
【００１１】
つぎに、本発明のインクジェット記録用インクについて説明する。本発明のインクは、着色剤、水、水溶性有機溶剤およびアセチレングリコール系界面活性剤を含む。前述のとおり、前記着色剤は、前記染料（１）および前記染料（２）を含む。
【００１２】
前述のとおり、前記染料（１）は、前記一般式（１）で表される染料である。
【００１３】
前述のとおり、前記一般式（１）において、
Ｒ１は、水素原子、置換または無置換のアルキル基、置換または無置換のアリール基であり、
Ｒ２は、水素原子、ハロゲン原子またはシアノ基であり、
Ｒ３は、水素原子、置換または無置換のアルキル基、置換または無置換のアリール基、置換または無置換のヘテロ環基であり、
Ｒ４、Ｒ５、Ｒ６およびＲ７は、それぞれ、水素原子、置換または無置換のアルキル基、置換または無置換のアリール基、置換または無置換のヘテロ環基、置換または無置換のスルホニル基、置換または無置換のアシル基であり、Ｒ４、Ｒ５、Ｒ６およびＲ７は同一でも異なっていてもよいが、Ｒ４とＲ５が共に水素原子であることはなく、Ｒ６とＲ７が共に水素原子であることはなく、
Ａ１およびＡ２は、双方が置換または無置換の炭素原子であるか、若しくは一方が置換または無置換の炭素原子であり、且つ、他方が窒素原子である。
【００１４】
前記一般式（１）において、前記ハロゲン原子としては、例えば、フッ素原子、塩素原子、臭素原子およびヨウ素原子等があげられる。
【００１５】
前記一般式（１）において、前記置換または無置換のアルキル基は、好ましくは、炭素原子数１〜６のアルキル基である。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００１６】
前記一般式（１）において、前記置換または無置換のアリール基は、好ましくは、炭素原子数６〜１２のアリール基である。ただし、置換アリール基の場合、前記炭素原子数は、置換基の炭素原子数を含まないものとする。前記置換または無置換のアリール基としては、例えば、フェニル基、ナフチル基、ｐ−トリル基、ｐ−オクチルフェニル基、メシチル基、ｐ−メトキシフェニル基、ｏ−クロロフェニル基、ｍ−（３−スルホプロピルアミノ）フェニル基等があげられる。前記置換アリール基の置換基としては、例えば、メチル基、エチル基、イソプロピル基、ｔｅｒｔ−ブチル基、ｎ−オクチル基等のアルキル基；前述と同様のアルコキシ基；前述と同様のハロゲン原子；メチルアミノ基、ジメチルアミノ基等のアルキルアミノ基；アミド基；カルバモイル基；スルファモイル基；スルホアミド基；水酸基；メトキシカルボニル基、エトキシカルボニル基等のエステル基；前述と同様のイオン性親水性基等があげられる。
【００１７】
前記一般式（１）において、前記置換または無置換のヘテロ環基は、好ましくは、５員または６員環のヘテロ環基である。前記置換または無置換のへテロ環基としては、例えば、２−ピリジル基、２−チエニル基、２−チアゾリル基、２−ベンゾチアゾリル基、２−フリル基、６−スルホベンゾチアゾリル基、６−スルホン酸塩ベンゾチアゾリル基等があげられる。前記置換ヘテロ環基の置換基としては、例えば、アミド基；カルバモイル基；スルファモイル基；スルホアミド基；水酸基；前述と同様のエステル基；前述と同様のイオン性親水性基等があげられる。
【００１８】
前記一般式（１）において、前記置換または無置換のスルホニル基としては、例えば、メチルスルホニル基、フェニルスルホニル基等があげられる。前記置換スルホニル基の置換基としては、例えば、前述と同様の置換または無置換アルキル基、前述と同様の置換または無置換のアリール基等があげられる。
【００１９】
前記一般式（１）において、前記置換または無置換のアシル基は、好ましくは、炭素原子数１〜１２のアシル基である。ただし、置換アシル基の場合、前記炭素原子数は、置換基の炭素原子数を含まないものとする。前記置換または無置換のアシル基としては、例えば、アセチル基、ベンゾイル基、クロロアセチル基等があげられる。前記置換アシル基の置換基としては、例えば、前述と同様のイオン性親水性基等があげられる。
【００２０】
前記一般式（１）において、Ａ１およびＡ２は、前述のとおり、双方が置換または無置換の炭素原子であるか、若しくは一方が置換または無置換の炭素原子であり、且つ、他方が窒素原子である。Ａ１およびＡ２の双方が炭素原子である場合が、より優れた性能を発揮できる点で好ましい。Ａ１およびＡ２の炭素原子に結合する置換基としては、例えば、炭素原子数１〜３のアルキル基、カルボキシル基、カルバモイル基、シアノ基等があげられる。
【００２１】
前述のとおり、前記一般式（１）において、Ｒ４とＲ５とは共に水素原子であることはなく、またＲ６とＲ７も共に水素原子であることはない。また、前記一般式（１）において、スルホン酸基若しくはカルボキシル基の置換数が多くなると前記染料の水溶性が向上する傾向があるので、必要に応じてそれらの置換数を調整することが好ましい。
【００２２】
前記染料（１）の好ましい態様としては、例えば、前記一般式（１）において、Ｒ１がアルキル基、Ｒ２がシアノ基、Ｒ３が水素原子若しくは置換または無置換のヘテロ環基、Ｒ４が水素原子、置換または無置換のヘテロ環基若しくは置換アリール基、Ｒ５およびＲ６が、それぞれ、置換ヘテロ環基または置換アリール基、Ｒ７が水素原子であり、Ａ１が置換されている炭素原子、Ａ２が置換または無置換の炭素原子である態様があげられる。
【００２３】
前記染料（１）のより好ましい態様としては、例えば、前記一般式（１）において、Ｒ１がｔｅｒｔ−ブチル基、Ｒ２がシアノ基、Ｒ３が水素原子またはスルホン酸基若しくはそのアルカリ金属塩基で置換されてもよいベンゾチアゾリル基（好ましくは、ベンゾチアゾール−２−イル基）、Ｒ４が水素原子、スルホン酸基若しくはそのアルカリ金属塩基で置換されてもよいベンゾチアゾリル基（好ましくは、ベンゾチアゾール−２−イル基）またはスルホン酸基若しくはそのアルカリ金属塩基で置換されているトリアルキルフェニル基（好ましくは、メシチル基）、Ｒ５およびＲ６が、それぞれ、スルホン酸基若しくはそのアルカリ金属塩基で置換されてもよいモノ、ジ若しくはトリアルキルフェニル基（好ましくは、ｐ−オクチルフェニル基若しくはメシチル基）またはスルホン酸基若しくはそのアルカリ金属塩基で置換されているベンゾチアゾリル基（好ましくは、ベンゾチアゾール−２−イル基）、Ｒ７が水素原子であり、Ａ１がアルキル基（好ましくは、メチル基）で置換されている炭素原子、Ａ２がシアノ基で置換されてもよい炭素原子である態様である。
【００２４】
前記染料（１）の好ましい具体例としては、下記の化学式（１−Ａ）〜（１−Ｆ）で表される化合物があげられる。
【００２５】
【化３】
0005256735.tif 000004
【００２６】
前記化学式（１−Ａ）で表される化合物は、前記一般式（１）において、Ｒ１がｔｅｒｔ−ブチル基、Ｒ２がシアノ基、Ｒ３がベンゾチアゾール−２−イル基、Ｒ４が水素原子、Ｒ５およびＲ６がｐ−オクチルフェニル基、Ｒ７が水素原子であり、Ａ１がメチル基で置換されている炭素原子、Ａ２がシアノ基で置換されている炭素原子である態様である。
【００２７】
【化４】
0005256735.tif 000005
【００２８】
前記化学式（１−Ｂ）で表される化合物は、前記一般式（１）において、Ｒ１がｔｅｒｔ−ブチル基、Ｒ２がシアノ基、Ｒ３およびＲ４がベンゾチアゾール−２−イル基、Ｒ５およびＲ６がメシチル基、Ｒ７が水素原子であり、Ａ１がメチル基で置換されている炭素原子、Ａ２が炭素原子である態様である。
【００２９】
【化５】
0005256735.tif 000006
【００３０】
前記化学式（１−Ｃ）で表される化合物は、前記一般式（１）において、Ｒ１がｔｅｒｔ−ブチル基、Ｒ２がシアノ基、Ｒ３およびＲ４が６−スルホナトリウム塩ベンゾチアゾール−２−イル基、Ｒ５およびＲ６が３−スルホナトリウム塩−メシチル基、Ｒ７が水素原子であり、Ａ１がメチル基で置換されている炭素原子、Ａ２が炭素原子である態様である。
【００３１】
【化６】
0005256735.tif 000007
【００３２】
前記化学式（１−Ｄ）で表される化合物は、前記一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−メチル−３−スルホリチウム塩フェニル基、Ｒ７が水素原子であり、Ａ１がメチル基で置換されている炭素原子、Ａ２が炭素原子である態様である。
【００３３】
【化７】
0005256735.tif 000008
【００３４】
前記化学式（１−Ｅ）で表される化合物は、前記一般式（１）において、Ｒ１がｔｅｒｔ−ブチル基、Ｒ２がシアノ基、Ｒ３およびＲ４が６−スルホカリウム塩ベンゾチアゾール−２−イル基、Ｒ５およびＲ６が３−スルホカリウム塩−メシチル基、Ｒ７が水素原子であり、Ａ１がメチル基で置換されている炭素原子、Ａ２が炭素原子である態様である。
【００３５】
【化８】
0005256735.tif 000009
【００３６】
前記化学式（１−Ｆ）で表される化合物は、前記一般式（１）において、Ｒ１がｔｅｒｔ−ブチル基、Ｒ２がシアノ基、Ｒ３およびＲ４が６−スルホリチウム塩ベンゾチアゾール−２−イル基、Ｒ５およびＲ６が２，６−ジエチル−４−スルホリチウム塩フェニル基、Ｒ７が水素原子であり、Ａ１がメチル基で置換されている炭素原子、Ａ２が炭素原子である態様である。
【００３７】
前記染料（１）の配合量は、前記条件（Ａ）および（Ｂ）を満たす範囲内であれば、特に制限されない。インクに前記染料（１）を含ませることで、前記インクを用いた記録物の堅牢性を向上させることができる。前記染料（１）の配合量は、前記インク全量に対し、例えば、１．４〜４．５重量％であり、好ましくは、１．７５〜４．０５重量％である。
【００３８】
前記染料（２）のＣ．Ｉ．アシッドレッド２８９は、例えば、下記化学式（２）で表される染料である。
【００３９】
【化９】
0005256735.tif 000010
【００４０】
前記染料（２）の配合量は、前記条件（Ａ）および（Ｂ）を満たす範囲内であれば、特に制限されない。インクに前記染料（２）を含ませることで、発色性に優れたインクを得ることができる。前記染料（２）の配合量は、前記インク全量に対し、例えば、０．２〜１．５重量％であり、好ましくは、０．２５〜１．３５重量％である。
【００４１】
前述のとおり、前記染料（１）と前記染料（２）との合計配合量は、前記インク全量に対し、２〜５重量％である。前記合計配合量は、好ましくは、２．５〜４．５重量％である。
【００４２】
前述のとおり、前記染料（１）と前記染料（２）との重量比は、染料（１）：染料（２）＝９：１〜７：３である。
【００４３】
前記着色剤は、前記染料（１）および前記染料（２）のみで構成されていてもよいし、さらに他の染料または顔料等を含んでもよい。
【００４４】
前記水は、イオン交換水または純水であることが好ましい。前記インク全量に対する前記水の配合量は、例えば、１０〜９０重量％であり、好ましくは、４０〜８０重量％である。前記水の配合量は、例えば、他の成分の残部としてもよい。
【００４５】
前記水溶性有機溶剤は、例えば、インクジェットヘッドの先端部におけるインクの乾燥を防止する湿潤剤および記録紙面上での乾燥速度を調整する浸透剤に分類される。
【００４６】
前記湿潤剤は、限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、限定されず、例えば、ポリエチレングリコール、ポリプロピレングリコール等があげられる。前記アルキレングリコールは、限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。これらの湿潤剤は、１種類を単独で用いてもよいし、２種類以上を併用してもよい。
【００４７】
前記湿潤剤の配合量は、特に制限されない。前記インク全量に対する前記湿潤剤の配合量は、例えば、０〜９５重量％であり、好ましくは、１０〜８０重量％であり、より好ましくは、１０〜５０重量％である。
【００４８】
本発明のインクジェット記録用インクは、前記浸透剤として、ジプロピレングリコールプロピルエーテル（ＤＰＰ）を含む。前述のとおり、前記ＤＰＰの配合量は、前記インク全量に対し、１〜３重量％である（１≦ｙ≦３の条件を満たす）。前記ＤＰＰの配合量は、好ましくは、１．２〜２．７重量％である。
【００４９】
前記浸透剤は、前記ＤＰＰのみで構成されていてもよいし、本発明の効果を損なわない範囲で、さらに他の浸透剤を含んでもよい。
【００５０】
前記ＤＰＰ以外の浸透剤は、限定されず、例えば、エチレングリコールメチルエーテル、エチレングリコールエチルエーテル、エチレングリコールプロピルエーテル、ジエチレングリコールメチルエーテル、ジエチレングリコールエチルエーテル、ジエチレングリコールプロピルエーテル、ジエチレングリコールブチルエーテル、トリエチレングリコールメチルエーテル、トリエチレングリコールエチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールブチルエーテル、トリプロピレングリコールメチルエーテル、トリプロピレングリコールエチルエーテル、トリプロピレングリコールプロピルエーテル、トリプロピレングリコールブチルエーテル等があげられる。前記ＤＰＰ以外の浸透剤は、１種類だけ用いてもよいし、２種類以上用いてもよい。
【００５１】
前述のとおり、本発明のインクは、アセチレングリコール系界面活性剤を含む。前記アセチレングリコール系界面活性剤は、前記一般式（３）で表される界面活性剤を含む。前記一般式（３）において、前記ｍおよびｎは、同一でも異なっていてもよく、ｍ＋ｎ＝１〜１５を満たす数であり、好ましくは、ｍ＋ｎ＝３〜１１を満たす数である。Ｒ１１、Ｒ１２、Ｒ１３およびＲ１４は、それぞれ同一でも異なっていてもよく、炭素原子数１〜５の直鎖状または分岐鎖状アルキル基である。前記アルキル基は、例えば、メチル基、エチル基、プロピル基、イソプロピル基、ブチル基等を含む。
【００５２】
前記一般式（３）で表される界面活性剤は、例えば、市販品を用いてもよい。前記市販品としては、例えば、日信化学工業（株）製のオルフィン（登録商標）Ｅ１０１０、オルフィン（登録商標）Ｅ１００４、サーフィノール（登録商標）４４０およびサーフィノール（登録商標）４６５；川研ファインケミカル（株）製のアセチレノール（登録商標）Ｅ４０およびアセチレノール（登録商標）Ｅ１００等があげられる。
【００５３】
前述のとおり、前記一般式（３）で表される界面活性剤の配合量は、前記インク全量に対し、０．５〜２．５重量％である（０．５≦ｘ≦２．５の条件を満たす）。前記一般式（３）で表される界面活性剤の配合量は、好ましくは、０．６〜２重量％である。
【００５４】
本発明のインクジェット記録用インクは、本発明の効果を損なわない範囲で、前記一般式（３）で表される界面活性剤以外の界面活性剤を含んでもよい。前記一般式（３）で表される界面活性剤以外の界面活性剤は、限定されず、例えば、花王（株）製のアニオン界面活性剤「ＥＭＡＬ（登録商標）」シリーズ、「ＬＡＴＥＭＵＬ（登録商標）」シリーズ、「ＶＥＮＯＬ（登録商標）」シリーズ、「ＮＥＯＰＥＬＥＸ（登録商標）」シリーズ、ＮＳ  ＳＯＡＰ、ＫＳ  ＳＯＡＰ、ＯＳ  ＳＯＡＰ、「ＰＥＬＥＸ（登録商標）」シリーズ等；ライオン（株）製のアニオン界面活性剤「ＬＩＰＯＬＡＮ（登録商標）」シリーズ、「ＬＩＰＯＮ（登録商標）」シリーズ、「ＳＵＮＮＯＬ（登録商標）」シリーズ、「ＬＩＰＯＴＡＣ（登録商標）」シリーズ、「ＥＮＡＧＩＣＯＬ（登録商標）」シリーズ、「ＬＩＰＡＬ（登録商標）」シリーズ、「ＬＯＴＡＴ（登録商標）」シリーズ等；花王（株）製のノニオン界面活性剤「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＥＭＡＮＯＮ（登録商標）」シリーズ、「ＡＭＩＥＴ（登録商標）」シリーズ、「ＡＭＩＮＯＮ（登録商標）」シリーズ等；ライオン（株）製のノニオン界面活性剤「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ（登録商標）」シリーズ、「ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ、「ＬＥＯＦＡＴ（登録商標）」シリーズ等があげられる。前記一般式（３）で表される界面活性剤以外の界面活性剤は、１種類だけ用いてもよいし、２種類以上用いてもよい。
【００５５】
前記インクは、必要に応じて、さらに、従来公知の添加剤を含んでもよい。前記添加剤としては、例えば、粘度調整剤、表面張力調整剤、防黴剤等があげられる。前記粘度調整剤は、限定されず、例えば、ポリビニルアルコール、セルロース、水溶性樹脂等があげられる。
【００５６】
前記インクは、例えば、着色剤、水、水溶性有機溶剤およびアセチレングリコール系界面活性剤と、必要に応じて他の添加成分とを、従来公知の方法で均一に混合し、フィルターで不溶解物を除去することにより調製できる。
【００５７】
前述のとおり、本発明のインクは、前記ジプロピレングリコールプロピルエーテルおよび前記一般式（３）で表される界面活性剤が前記（Ｃ）および（Ｄ）の条件を満たすように配合されているため、噴射安定性に優れ、印字品質にも優れるとともに、インクジェット記録装置内のゴム部材等に由来する化合物のインク中への溶出も防止される。
【００５８】
前述のとおり、本発明のインクは、例えば、マゼンタインクとして用いることができる。ただし、本発明は、これに限定されない。本発明のインクは、前記染料以外の着色剤を用いることにより、マゼンタ以外の色のインクとすることもできる。
【００５９】
本発明のインクカートリッジは、本発明の前記インクジェット記録用インクを含むインクカートリッジである。本発明のインクカートリッジの本体としては、例えば、従来公知のものを使用できる。
【００６０】
つぎに、本発明のインクジェット記録装置について説明する。本発明のインクジェット記録装置には、本発明の前記インクカートリッジを含む。これを除き、本発明のインクジェット記録装置の構成は、例えば、従来公知のインクジェット記録装置と同様であってもよい。
【００６１】
図１に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。
【００６２】
前記４つのインクカートリッジ２は、イエロー、マゼンタ、シアンおよびブラックの４色のインクを、それぞれ１色ずつ含む。例えば、前記マゼンタインクが、前記本発明のインクである。前記インクジェットヘッド３は、記録紙等の被記録材Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００６３】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ部５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００６４】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００６５】
前記被記録材Ｐは、このインクジェット記録装置１の側方又は下方に設けられた給紙カセット（図示せず）から給紙される。前記被記録材Ｐは、前記インクジェットヘッド３と、前記プラテンローラ７との間に導入される。すると、前記被記録材Ｐに、前記インクジェットヘッド３から吐出されるインクにより所定の印字がなされる。前記被記録材Ｐは、その後、前記インクジェット記録装置１から排紙される。図１においては、前記被記録材Ｐの給紙機構及び排紙機構の図示を省略している。
【００６６】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッドの回復が図られる。前記吸引された不良インクは、前記インク貯留部１７に貯められる。
【００６７】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、印字が終了すると前記リセット位置に戻される前記インクジェットヘッド３の複数のノズルを覆うものである。
【００６８】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記チューブ等により、前記インクカートリッジから前記ヘッドユニットに前記インクが供給される。
【実施例】
【００６９】
つぎに、本発明の実施例について比較例と併せて説明する。なお、本発明は、下記の実施例および比較例によってなんら限定ないし制限されない。
【００７０】
［実施例１〜８および比較例１〜１３］
インク組成成分（下記表１および表２）を、均一に混合した。その後、得られた混合物を、東洋濾紙（株）製の親水性ポリテトラフルオロエチレン（ＰＴＦＥ）タイプメンブレンフィルタ（孔径０．２μｍ）を用いてろ過することで、実施例１〜８および比較例１〜１３のインクジェット記録用インクを得た。なお、表１および表２において、染料（１−Ａ）〜（１−Ｆ）は、それぞれ、前記化学式（１−Ａ）〜（１−Ｆ）で表される化合物である。
【００７１】
各実施例および各比較例のインクについて、（ａ）印字品質評価（ブリーディング）、（ｂ）噴射安定性評価、（ｃ）耐オゾン性評価、（ｄ）耐光性評価、（ｅ）ゴム析出性評価、（ｆ）発色性評価および（ｇ）総合評価を、下記の方法により行った。なお、（ｃ）耐オゾン性評価用、（ｄ）耐光性評価用および（ｆ）発色性評価用のサンプルは、つぎのようにして準備した。
【００７２】
すなわち、まず、各実施例および各比較例のインクを、インクカートリッジに充填した。ついで、前記インクカートリッジを、ブラザー工業（株）製のインクジェットプリンタ搭載デジタル複合機ＤＣＰ−３３０Ｃに装着した。つぎに、ブラザー工業（株）製の写真光沢紙ＢＰ６１ＧＬＡに前記インクのグラデーションサンプルをプリントし、初期ＯＤ値１．０のパッチを得た。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。
【００７３】
（ａ）印字品質評価（ブリーディング）
ブラザー工業（株）製のインクジェットプリンタ搭載デジタル複合機ＤＣＰ−３３０Ｃを使用し、富士通コワーコ（株）製のオフィス用紙Ｗ上に、背景に各実施例および各比較例のインク、ラインにブラザー工業（株）製のインクカートリッジＬＣ１０ＢＫに充填されたブラックインクを用いて評価サンプルの印画を行った。各実施例および各比較例のインクと前記ブラックインクとの境界部のＲａｇを、ＩＳＯ１３６６０に準ずる方法により測定した。ここで、Ｒａｇとは、ＩＳＯ１３６６０で定義されたラインのラジェットネスであり、ラジェットなラインとは、本来スムーズで真っ直ぐなはずの理想のラインエッジに対して波打っている状態を示す。得られたＲａｇから、下記の評価基準に従って評価した。
【００７４】
印字品質評価（ブリーディング）基準
Ａ：ラインのＲａｇが、３０未満
Ｂ：ラインのＲａｇが、３０以上４０未満
Ｃ：ラインのＲａｇが、４０以上
【００７５】
（ｂ）噴射安定性評価
ブラザー工業（株）製のインクジェットプリンタ搭載デジタル複合機ＤＣＰ−３３０Ｃを使用し、富士通コワーコ（株）製のオフィス用紙Ｗ上に、１億ドット（約３万枚）の連続印字を行った。前記連続印字の結果を、下記の基準に従って評価した。不吐出とは、インクジェットヘッドのノズルが目詰まりし、前記インクが吐出されない状態である。吐出曲がりとは、インクジェットヘッドのノズルの一部が目詰まりし、前記インクが、前記記録用紙に対して垂直に吐出されず、斜めに吐出される状態である。
【００７６】
噴射安定性評価基準
Ａ：連続印字中において、不吐出および吐出曲がりが全くないか、不吐出若しくは吐出曲がりが僅かにあったが、前記不吐出若しくは吐出曲がりが、共に５回以内のパージによって回復した。
Ｃ：連続印字中において、不吐出および吐出曲がりが多数有り、前記不吐出および吐出曲がりが、共に５回のパージでは回復しなかった。
【００７７】
（ｃ）耐オゾン性評価
スガ試験機（株）製のオゾンウェザーメーターＯＭＳ−Ｈを用いて、オゾン濃度２ｐｐｍ、槽内温度２４℃、槽内相対湿度６０％の条件下、前記グラデーションサンプルを４０時間放置した。ついで、前記放置後の前記パッチのＯＤ値を、前述と同様にして、測定した。つぎに、下記式（Ｉ）によりＯＤ値減少率（％）を求め、耐オゾン性を、下記の評価基準に従って評価した。なお、前記ＯＤ値減少率が小さいほど、画質の劣化が少なく、耐オゾン性に優れていたこととなる。
ＯＤ値減少率（％）＝｛（Ｘ−Ｙ）／Ｘ｝×１００      ・・・（Ｉ）
Ｘ：１．０（初期ＯＤ値）
Ｙ：放置後のＯＤ値
【００７８】
耐オゾン性評価基準
Ａ：ＯＤ値減少率が、２０％未満
Ｃ：ＯＤ値減少率が、２０％以上
【００７９】
（ｄ）耐光性評価
スガ試験機（株）製の強エネルギーキセノンウェザーメーターＳＣ７５０―ＷＮを用いて、槽内温度２５℃、槽内相対湿度５０％、照度９３ｋｌｘの条件下、前記グラデーションサンプルにキセノンランプ光を２００時間照射した。ついで、前記照射後の前記パッチのＯＤ値を、前述と同様にして、測定した。つぎに、下記式（ＩＩ）によりＯＤ値減少率（％）を求め、耐光性を、下記の評価基準に従って評価した。なお、前記ＯＤ値減少率が小さいほど、画質の劣化が少なく、耐光性に優れていたこととなる。
ＯＤ値減少率（％）＝｛（Ｘ−Ｙ）／Ｘ｝×１００      ・・・（ＩＩ）
Ｘ：１．０（初期ＯＤ値）
Ｙ：照射後のＯＤ値
【００８０】
耐光性評価基準
Ａ：ＯＤ値減少率が、３０％未満
Ｃ：ＯＤ値減少率が、３０％以上
【００８１】
（ｅ）ゴム析出性評価
インク１ｇあたりの接触面積が３０ｍｍ２となる条件で、前記インクにゴム片（エチレンプロピレンゴム（ＥＰＤＭ）；ゴム硬度（旧ＪＩＳ  Ｋ  ６３０１  Ａ型による測定）４０°）を浸漬させ、温度７０℃の環境下で１週間保存した。前記保存後、前記インクから前記ゴム片を取り出した後、前記インクを東洋濾紙（株）製の親水性ポリテトラフルオロエチレン（ＰＴＦＥ）タイプメンブレンフィルター（孔径：０．２μｍ；直径：１５ｍｍ）でろ過し、ろ過に要する時間を計測した。コントロールとして、前記保存前のインクを、前述と同様の条件でろ過し、ろ過に要する時間を計測した。つぎに、下記式（ＩＩＩ）によりろ過時間の増加率を求め、ゴム析出性を、下記の評価基準に従って評価した。
ろ過時間の増加率＝Ｙ／Ｘ      ・・・（ＩＩＩ）
Ｘ：保存前のろ過時間
Ｙ：保存後のろ過時間
【００８２】
ゴム析出性評価基準
Ａ：ろ過時間の増加率が、１．３倍未満
Ｂ：ろ過時間の増加率が、１．３倍以上１．６倍未満
Ｃ：ろ過時間の増加率が、１．６倍以上
【００８３】
（ｆ）発色性評価
前記グラデーションサンプルを、目視にて観察し、マゼンタ色が充分に表現されているか否かを、下記の評価基準に従って評価した。
【００８４】
発色性評価基準
Ａ：マゼンタ色を充分に表現できている。
Ｂ：マゼンタ色を表現できている。
Ｃ：マゼンタ色を表現できていない。
【００８５】
（ｇ）総合評価
各インクについて、前記（ａ）〜（ｆ）の結果から、下記の評価基準に従って総合評価を行った。
【００８６】
総合評価基準
ＡＡ：すべての評価結果がＡであった。
Ａ  ：評価結果のいずれかにＢがあったが、Ｃはなかった。
Ｃ  ：評価結果のいずれかにＣがあった。
【００８７】
各実施例のインクの組成および評価結果を、下記表１に示す。また、各比較例のインクの組成および評価結果を、下記表２に示す。そして、実施例１〜８および比較例３〜６におけるインク全量に対する一般式（３）で表される界面活性剤の配合量［ｘ（重量％）］とインク全量に対するＤＰＰの配合量［ｙ（重量％）］との関係を、図２に示す。
【００８８】
【表１】
0005256735.tif 000011
【００８９】
【表２】
0005256735.tif 000012
【００９０】
前記表１に示すとおり、実施例１〜６のインクは、印字品質評価（ブリーディング）、噴射安定性評価、耐オゾン性評価、耐光性評価、ゴム析出性評価および発色性評価のすべての結果が、良好であった。ｙ＜−２ｘ＋３である実施例７のインクは、印字品質評価（ブリーディング）の結果が実施例１〜６のインクに比べ若干劣っていたが、実用上問題ないレベルであった。ｙ＞−２ｘ＋６である実施例８のインクは、ゴム析出性評価の結果が実施例１〜６のインクに比べ若干劣っていたが、実用上問題ないレベルであった。一方、前記表２に示すとおり、染料（１）を含まない比較例１のインクは、耐オゾン性評価および耐光性評価の結果が劣っていた。また、染料（１）：染料（２）［重量比］＝６：４である比較例２のインクは、耐オゾン性評価および耐光性評価の結果が劣っていた。また、ｙ＜１である比較例３のインクは、印字品質評価（ブリーディング）の結果が劣っていた。また、ｙ＞３である比較例４のインクは、噴射安定性評価の結果が劣っていた。また、ｘ＜０．５である比較例５のインクは、印字品質評価（ブリーディング）の結果が劣っていた。また、ｘ＞２．５である比較例６のインクは、ゴム析出性評価の結果が劣っていた。また、ＤＰＰを含まない比較例７のインクは、ＤＰＰの代わりに配合したジプロピレングリコールメチルエーテルによって、印字品質評価（ブリーディング）の結果が劣っていた。また、ＤＰＰを含まない比較例８および９のインクは、ＤＰＰの代わりに配合したジプロピレングリコールブチルエーテルまたはプロピレングリコールプロピルエーテルによって、ゴム析出性評価の結果が劣っていた。また、染料（２）に代えてＣ．Ｉ．アシッドレッド１４またはＣ．Ｉ．ダイレクトレッド２２７を用いた比較例１０および比較例１１のインクは、耐オゾン性評価および耐光性評価の結果が劣っていた。また、染料の合計配合量が少ない比較例１２のインクは、印字が薄すぎ、発色性評価の結果が劣っていた。また、染料の合計配合量は多い比較例１３のインクは、印字が濃すぎ、発色性評価の結果が劣っていた。
【産業上の利用可能性】
【００９１】
以上のように、本発明のインクは、発色性、噴射安定性および印字品質に優れ、インクジェット記録装置内のゴム部材等に由来する化合物のインク中への溶出が防止され、且つ、記録物の堅牢性にも優れるものである。本発明のインクの用途は、限定されず、各種のインクジェット記録に広く適用可能である。
【図面の簡単な説明】
【００９２】
【図１】図１は、本発明のインクジェット記録装置の構成の一例を示す概略斜視図である。
【図２】図２は、実施例１〜８および比較例３〜６におけるインク全量に対する一般式（３）で表される界面活性剤の配合量［ｘ（重量％）］とインク全量に対するＤＰＰの配合量［ｙ（重量％）］との関係を示す図である。
【符号の説明】
【００９３】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
0005256735.tif 000015
【図２】
0005256735.tif 000016